(57)【特許請求の範囲】
【請求項１】
ドアに設けられ、部屋の識別情報である部屋ＩＤを表すＩＤ信号を受信するドア錠解錠用信号受信部と、
部屋ＩＤを表すＩＤ信号を送信可能なＩＤ信号送信部、および、ドアに設けられた鍵穴に挿入可能な差込部を有する鍵と、
ＩＤ信号送信部から送信され、ドア錠解錠用信号受信部で受信されたＩＤ信号が表す部屋ＩＤと予め記憶した登録部屋ＩＤとが不一致であると判定された異常発生時に、警報部により警報を発するようにする制御部と、を備え、
ドア錠解錠用信号受信部は、少なくとも、鍵穴に鍵の差込部を挿入している状態で、ＩＤ信号送信部からのＩＤ信号の受信が可能となる位置に設けており、
さらに、ドアに設けられ、鍵穴を有するシリンダ錠であって、外筒と、外筒に一部を挿入した内筒と、鍵による内筒の回転に伴い回転するカム部材とを有するシリンダ錠を備え、
内筒の回転によりカム部材に係合したデッドボルトをドアの側面から出入りさせることで、ドアの施錠と開放とを切り替え可能としており、
制御部は、停電発生時に警報部が常に非作動となるように制御することを特徴とする鍵判定システム。
【請求項２】
請求項１に記載の鍵判定システムにおいて、
制御部は、
登録部屋ＩＤを記憶するＩＤ記憶手段と、
ドア錠解錠用信号受信部で受信されたＩＤ信号が表す部屋ＩＤと登録部屋ＩＤとを照合するＩＤ照合手段と、
ＩＤ信号送信部から送信され、ドア錠解錠用信号受信部で受信されたＩＤ信号が表す部屋ＩＤと登録部屋ＩＤとが不一致であると判定された異常発生時に、警報部により警報を発するようにする警報部制御手段とを備えることを特徴とする鍵判定システム。
【請求項３】
請求項１または請求項２に記載の鍵判定システムにおいて、
鍵穴に鍵の差込部が挿入されたことを検知し、その検知信号を制御部に出力可能とする鍵穴挿入センサを備え、
制御部は、鍵穴に鍵の差込部が挿入されたと判定された場合において、ＩＤ信号受信部が鍵からのＩＤ信号を受信していないと判定された場合に、警報部により警報を発するようにすることを特徴とする鍵判定システム。
【請求項４】
請求項１または請求項２に記載の鍵判定システムにおいて、
シリンダ錠の内筒が回されたことを検知し、その検知信号を制御部に出力可能とする内筒回転検知センサを備え、
制御部は、内筒の回転が検知された場合において、ＩＤ信号受信部が鍵からのＩＤ信号を受信していないと判定された場合に、警報部により警報を発するようにすることを特徴とする鍵判定システム。
【請求項５】
請求項１から請求項４のいずれか１に記載の鍵判定システムにおいて、
共同玄関とエレベータの乗り場と乗りかごとのうちの少なくとも一方に設けられ、ＩＤ送信部から送信されたＩＤ信号を受信可能なエレベータ制御用信号受信部と、
エレベータ制御用信号受信部で受信されたＩＤ信号が表す部屋ＩＤと登録部屋ＩＤとが一致した正常の場合に、エレベータを作動させて、部屋ＩＤに対応する階床に乗りかごを移動させ、自動停止させるエレベータ制御部と、を備えることを特徴とする鍵判定システム。
【請求項６】
請求項１から請求項５のいずれか１に記載の鍵判定システムにおいて、
制御部は、警報部により警報を発するようにする場合に、管理人室または警備部に警報部が警報を発したことと、異常が発生したドアに対応する部屋の特定情報とを表す信号を送信することを特徴とする鍵判定システム。
【発明の詳細な説明】
【技術分野】
【０００１】
本発明は、ドアに設けられたドア錠解錠用信号受信部と、ＩＤ信号送信部および鍵穴に挿入可能な差込部を有する鍵と、異常発生時に警報部により警報を発するようにする制御部とを備える鍵判定システムに関する。
【背景技術】
【０００２】
近年、住宅マンション、オフィスビル等において、各部屋の防犯性を高めるために、非接触キーを使用する電気錠システムが考えられている。例えば、非接触キーから特定の施解錠信号を電波等で対応する部屋のドアに設けた受信部に送信し、モータ、ソレノイドを電気的に駆動して錠内部の施解錠機構やデッドボルトを進退させることにより、錠の施解錠を可能とすることが考えられている。このような非接触キーを使用する電気錠システムによれば、非接触キーを持たない第三者がドアの錠を解錠することは難しい。
【０００３】
また、特許文献１には、共同玄関にＩＤ照合端末器であるキーリーダヘッド部を設け、キーリーダヘッド部から入力されたＩＤデータを、予め居住者のＩＤデータを登録したＩＤデータ蓄積手段を備えたＩＤ照合コントローラで照合して認証した後、共同玄関の電気錠を解錠するＩＤ照合連動システムと、エレベータ昇降制御装置とを組み合わせたＩＤ照合連動マンションＨＡシステムが記載されている。ＩＤ照合連動マンションＨＡシステムにおいて、ＩＤ照合コントローラは、キーリーダヘッド部から入力されたＩＤデータを認証したときに、共同玄関の電気錠を解錠するとともに、エレベータ昇降制御装置を作動して、エレベータを共同玄関の設置階まで自動的に移送させるとしている。また、非接触型キーから各居住者固有のＩＤデータを発信し、キーリーダヘッド部はＩＤデータを受信するとされている。
【０００４】
【特許文献１】特開２００２−１２９７９３号公報
【発明の開示】
【発明が解決しようとする課題】
【０００５】
従来から考えられているような、非接触キーを使用し、警報部を備えない単なる電気錠システムの場合、非接触キーを持ち主が紛失し、それを第三者に拾得された場合、拾得した第三者により非接触キーに対応する部屋を見つけられると、簡単にドアを解錠されてしまう可能性があり、防犯上改良の余地がある。
【０００６】
例えば、特許文献１に記載されたＩＤ照合連動マンションＨＡシステムにおいて、非接触型キーの信号の送信により、対応する部屋のドアの錠の解錠を可能とする場合には、非接触型キーで共同玄関の電気錠を解錠されてしまうだけでなく、マンションの複数の部屋に順番に、または無作為に行かれて、非接触型キーがドアの錠に対応する受信部に近づけられると、非接触型キーからの信号が表すデータと、ドアの解錠用のデータとが一致した場合に、ドアを第三者により無断で開けられてしまう可能性がある。このため、防犯性を高める面から改良の余地がある。
【０００７】
特に、特許文献１に記載されたＩＤ照合連動マンションＨＡシステムの場合、共同玄関のＩＤ照合端末器に第三者が拾得した非接触型キーが近づけられると、共同玄関の電気錠が解錠されるだけでなく、エレベータが居住者の居住階まで自動的に昇降し、そこで自動停止するため、第三者に居住階を容易に特定されてしまう。このため、非接触型キーを拾得した第三者が居住階を横に移動することにより、居住者の居住部屋をさらに簡単に見つけられてしまう可能性があるため、防犯性を高めることが特に求められる。
【０００８】
本発明の目的は、鍵判定システムにおいて、建物に設けた場合に、鍵の持ち主が鍵を紛失し、第三者に鍵を拾得されてしまった場合でも、警報部を備えない単なる電気錠システム付の建物の場合よりも、各部屋の防犯性を高くすることを目的とする。
【課題を解決するための手段】
【０００９】
本発明に係る鍵判定システムは、ドアに設けられ、部屋の識別情報である部屋ＩＤを表すＩＤ信号を受信するドア錠解錠用信号受信部と、部屋ＩＤを表すＩＤ信号を送信可能なＩＤ信号送信部、および、ドアに設けられた鍵穴に挿入可能な差込部を有する鍵と、ＩＤ信号送信部から送信され、ドア錠解錠用信号受信部で受信されたＩＤ信号が表す部屋ＩＤと予め記憶した登録部屋ＩＤとが不一致であると判定された異常発生時に、警報部により警報を発するようにする制御部と、を備え、ドア錠解錠用信号受信部は、少なくとも、鍵穴に鍵の差込部を挿入している状態で、ＩＤ信号送信部からのＩＤ信号の受信が可能となる位置に設けており、さらに、ドアに設けられ、鍵穴を有するシリンダ錠であって、外筒と、外筒に一部を挿入した内筒と、鍵による内筒の回転に伴い回転するカム部材とを有するシリンダ錠を備え、内筒の回転によりカム部材に係合したデッドボルトをドアの側面から出入りさせることで、ドアの施錠と開放とを切り替え可能としており、制御部は、停電発生時に警報部が常に非作動となるように制御することを特徴とする鍵判定システムである。
【００１０】
また、好ましくは、制御部は、登録部屋ＩＤを記憶するＩＤ記憶手段と、ドア錠解錠用信号受信部で受信されたＩＤ信号が表す部屋ＩＤと登録部屋ＩＤとを照合するＩＤ照合手段と、ＩＤ信号送信部から送信され、ドア錠解錠用信号受信部で受信されたＩＤ信号が表す部屋ＩＤと登録部屋ＩＤとが不一致であると判定された異常発生時に、警報部により警報を発するようにする警報部制御手段とを備える。
【００１１】
また、より好ましくは、鍵穴に鍵の差込部が挿入されたことを検知し、その検知信号を制御部に出力可能とする鍵穴挿入センサを備え、制御部は、鍵穴に鍵の差込部が挿入されたと判定された場合において、ＩＤ信号受信部が鍵からのＩＤ信号を受信していないと判定された場合に、警報部により警報を発するようにする。また、より好ましくは、シリンダ錠の内筒が回されたことを検知し、その検知信号を制御部に出力可能とする内筒回転検知センサを備え、制御部は、内筒の回転が検知された場合において、ＩＤ信号受信部が鍵からのＩＤ信号を受信していないと判定された場合に、警報部により警報を発するようにする。
【００１２】
また、より好ましくは、共同玄関とエレベータの乗り場と乗りかごとのうちの少なくとも一方に設けられ、ＩＤ送信部から送信されたＩＤ信号を受信可能なエレベータ制御用信号受信部と、エレベータ制御用信号受信部で受信されたＩＤ信号が表す部屋ＩＤと登録部屋ＩＤとが一致した正常の場合に、エレベータを作動させて、部屋ＩＤに対応する階床に乗りかごを移動させ、自動停止させるエレベータ制御部と、を備える。
【００１３】
また、より好ましくは、制御部は、警報部により警報を発するようにする場合に、管理人室または警備部に警報部が警報を発したことと、異常が発生したドアに対応する部屋の特定情報とを表す信号を送信する。
【発明の効果】
【００１４】
本発明に係る鍵判定システムによれば、建物に設けた場合に、鍵の持ち主が鍵を紛失し、第三者に鍵を拾得されてしまった場合でも、第三者が鍵に対応するドアとは異なるドアに設けられた鍵穴に鍵を挿入した場合等、鍵と対応しないドア錠解錠用信号受信部に鍵を近づけた場合に、鍵のＩＤ信号送信部が送信し、ドア錠解錠用信号受信部で受信されたＩＤ信号が表す部屋ＩＤと、予め記憶した登録部屋ＩＤとが一致しないため、警報部により警報が発せられる。また、第三者が、拾得した鍵と対応するドアを、多くのドアのうちから間違えることなく１回で見つけることができる可能性は低い。このため、鍵の持ち主が鍵を紛失し、第三者に鍵を拾得されてしまった場合でも、第三者が不正に他人の部屋のドアを開けようとした場合に、警報を発せられやすくでき、警報部を備えない単なる電気錠システム付の建物の場合よりも、各部屋の防犯性を高くできる。
【００１５】
また、停電発生時に停電を表す信号を制御部に入力することにより、警報部が常に非作動になるようにするので、停電発生時に、ドア錠解錠用信号受信部が鍵からのＩＤ信号を正常に受信できなくなった場合でも、鍵穴に正規の鍵の差込部を挿入した場合に、警報部により警報が発せられることがなく、鍵によるドアの開放が可能となる。このため、各部屋のドアを電気錠システムで解錠可能とする建物の場合と異なり、停電発生時に鍵の正規の持ち主が部屋に入れなくなることを防止できる。
【００１６】
また、共同玄関とエレベータの乗り場と乗りかごとのうちの少なくとも一方に設けられ、ＩＤ送信部から送信されたＩＤ信号を受信可能なエレベータ制御用信号受信部と、エレベータ制御用信号受信部で受信されたＩＤ信号が表す部屋ＩＤと登録部屋ＩＤとが一致した正常の場合に、エレベータを作動させて、部屋ＩＤに対応する階床に乗りかごを移動させ、自動停止させるエレベータ制御部と、を備える構成によれば、鍵を拾得した第三者が共同玄関で鍵からエレベータ制御用信号受信部にＩＤ信号を送信し、部屋ＩＤを照合すれば、エレベータの乗りかごに乗っただけで、鍵の正規の持ち主の部屋がある階床に自動で移動できてしまい、鍵の持ち主の部屋を特定されやすくなってしまう。このため、ドアに設けられ、部屋の識別情報である部屋ＩＤを表すＩＤ信号を受信するドア錠解錠用信号受信部と、部屋ＩＤを表すＩＤ信号を送信可能なＩＤ信号送信部、および、ドアに設けられた鍵穴に挿入可能な差込部を有する鍵と、ＩＤ信号送信部から送信され、ドア錠解錠用信号受信部で受信されたＩＤ信号が表す部屋ＩＤと予め記憶した登録部屋ＩＤとが不一致であると判定された異常発生時に、警報部により警報を発するようにする制御部と、を備える本発明の構成により、鍵の持ち主が鍵を紛失し、第三者に鍵を拾得されてしまった場合でも、警報部を備えない単なる電気錠システム付の建物の場合よりも、建物の各部屋の防犯性を高くできるという本発明により得られる効果がより顕著になる。
【００１７】
また、制御部は、警報部により警報を発するようにする場合に、管理人室または警備部に警報部が警報を発したことと、異常が発生したドアに対応する部屋の特定情報とを表す信号を送信する構成によれば、異常発生時に警報部で警報が発せられるだけでなく、管理人室または警備部にいる人に異常を知らせることができるため、防犯性をより高くできる。
【発明を実施するための最良の形態】
【００１８】
［第１の発明の実施の形態］
以下において、図面を用いて本発明に係る実施の形態につき詳細に説明する。図１から図５は、本発明の第１の実施の形態を示している。図１は、本実施の形態に係る、各部屋のドアに対応して鍵判定システムを備える建物である、マンションの全体構成を示す略図である。図２は、部屋入口のドアとＩＤコントローラおよび警報部である警報ブザーの構成とを示す略図である。図３は、鍵を示す略図である。図４は、鍵判定システムの一部の構成を示すブロック図である。図５は、鍵判定システムにより鍵の不正使用時に警報を発するようにする方法を示すフローチャートである。なお、本発明の鍵判定システムは、マンションに設ける場合に限定するものではなく、例えばオフィスビル等、他の建物に設けることもできる。
【００１９】
図１に示すように、マンションは１階に管理人室１０を有し、２階以上の各部屋が住居用となっている。住居用の部屋は、例えば、各階に８個等の複数個設ける。１階の出入り口である共同玄関１２の外側に、端末機１４を設置している。居住者が鍵を端末機１４の受信部に接近させ、鍵に設けたＩＤ信号送信部が送信したＩＤ信号が表す部屋ＩＤと、予め端末機で記憶した登録部屋ＩＤとが一致した場合のみ、共同玄関１２のドア１６の電気錠を解錠し、ドア１６を電動で開放可能としている。
【００２０】
マンションにエレベータ１８を設けており、エレベータ１８は、昇降路２０内を昇降可能な乗りかご２２と、昇降路２０上部、例えばマンションの最上階に設けて、乗りかご２２を主ロープ２４によって昇降させる巻上げ機２６と、乗りかご２２の動作を制御すべく巻き上げ機２６の作動を制御するエレベータ制御部である、エレベータ制御装置２８とを備える。巻き上げ機２６およびエレベータ制御装置２８は、例えばマンションの最上階の機械室（図示せず）等に設ける。なお、エレベータの方式は、このような巻き上げ機２６付きの構造に限定するものではなく、例えば油圧ジャッキの伸縮により主ロープを介して乗りかごを昇降させる油圧式とすることもできる。
【００２１】
また、鍵判定システムは、２階以上の各部屋のドア３０にそれぞれ設けた、ドア錠解錠用信号受信部であるドア側ＩＤ信号受信部３２と、制御部であるＩＤコントローラ３４とを備える。すなわち、図２に詳しく示すように、各部屋のドア３０に、ドア側ＩＤ信号受信部３２と、ＩＤコントローラ（ＩＤＣ）３４とを設けている。また、各部屋のドア３０に、鍵穴を有するシリンダ錠３６と、鍵判定システムを構成する警報部である警報ブザー３８と、デッドボルト４０と、ラッチボルト４２とを設けている。ドア側ＩＤ信号受信部３２は、鍵判定システムを構成する鍵４３（図３）から送信される信号であり、部屋の識別情報である部屋ＩＤを表すＩＤ信号を受信可能としている。ラッチボルト４２は、ドア３０に設けたレバーハンドル４４の操作、すなわち揺動によりドア３０の側面４５からの出入を可能としている。
【００２２】
鍵４３は、図３に示すように、共同玄関１２（図１）解錠機能を備えた非接触キーに、いわゆるメカキーと呼ばれる構造を組み合わせている。すなわち、鍵４３は、部屋ＩＤを表すＩＤ信号を電波等により無線信号として送信可能なＩＤ信号送信部４６と、部屋ＩＤを記憶するメモリ等の記憶手段４８と、鍵穴に挿入可能な差込部５０とを有する。差込部５０は、シリンダ錠３６の鍵穴５６（図２）に対応する形状を有し、差込部５０の形状は鍵４３ごとに異なっている。
【００２３】
シリンダ錠３６は、従来から一般的に知られているように、外筒と、外筒に一部を挿入した内筒とを有し、内筒の外筒から突出した部分に図示しないカム部材を設けている。内筒の回転に伴いカム部材が回転すると、カム部材に係合したデッドボルト４０（図２）がドア３０の側面４５から出入する。デッドボルト４０がドア３０の側面４５から突出した場合には、図示しない戸枠側の受け座に設けた孔部にデッドボルト４０が入り込み、シリンダ錠３６が施錠されて、ドア３０の開放が阻止される。これに対して、デッドボルト４０がドア３０の側面４５からドア３０内側に退避すると、戸枠側の受け座に設けた孔部からデッドボルト４０が抜け出して、シリンダ錠３６が解錠され、ドア３０の開放が可能となる。なお、鍵４３は、上記の図３に示したようなピンタンブラー対応型に限定するものではなく、例えばマグネットタンブラー対応型等とすることもできる。
【００２４】
図４に示すように、ドア側ＩＤ信号受信部３２は、ＩＤコントローラ３４が有するＩＤ照合手段６４に、部屋ＩＤを表す信号を出力可能としている。ＩＤコントローラ３４は、ＩＤ照合手段６４と、メモリ等のＩＤ記憶手段６６と、警報ブザー制御手段６８とを有する。
【００２５】
ＩＤ記憶手段６６は、各ドア３０に対応する登録部屋ＩＤを記憶する。ＩＤ照合手段６４は、ドア側ＩＤ信号受信部３２で受信されたＩＤ信号が表す部屋ＩＤと、ＩＤ記憶手段６６で記憶された登録部屋ＩＤとを照合する。警報ブザー制御手段６８は、鍵４３が有するＩＤ信号送信部４６から送信され、ドア側ＩＤ信号受信部３２で受信されたＩＤ信号が表す部屋ＩＤと登録部屋ＩＤとが不一致であるとＩＤ照合手段６４により判定された異常発生時に、警報ブザー３８により警報を発するようにする。また、ドア側ＩＤ信号受信部３２は、少なくとも、鍵穴５６（図２）に鍵４３の差込部５０を挿入している状態で、ＩＤ信号送信部４６からのＩＤ信号の受信が可能となるような位置である、すなわち無線信号が届く範囲の、鍵穴５６の近くの位置に設けている。
【００２６】
また、図４に示すＩＤコントローラ３４は、警報ブザー３８により警報を発するようにする場合に、各階ドア信号統合制御部７６を介して管理人室１０（図１）に設けた監視盤７８、すなわちＭＯＰ（Ｍｏｎｉｔｏｒ  Ｐａｎｅｌ）に警報ブザー３８が警報を発したことと、警報を発した警報ブザー３８に対応する、すなわち異常が発生したドア３０（図２）に対応する部屋の特定情報、例えば階数、部屋番号等とを表す信号を出力するようにしている。図１に示すように、各階ドア信号統合制御部７６は、各階に１個ずつ設けており、対応する階の全てのドア３０のうち、いずれか１以上のドア３０に設けたＩＤコントローラ３４から、警報ブザー３８（図４）が警報を発したことを表す信号が入力された場合に、警報ブザー３８が警報を発したことと、異常が発生したドア３０（図２）に対応する部屋の特定情報とを表す信号を、監視盤７８に出力する。
【００２７】
次に、このような鍵判定システムにより、鍵４３（図３、図４）の不正使用時に警報を発するようにする方法を、図５のフローチャートを用いて説明する。なお、この図５を用いた説明では、上記の図１から図４で各要素に付した符号を用いて説明する。まず、ステップＳ１で、ドア側ＩＤ信号受信部３２が、鍵４３のＩＤ信号送信部４６からのＩＤ信号を受信したか否かを、ＩＤ照合手段６４がそれに対応する信号を受け取ることにより判定する。なお、鍵４３をＩＤ信号受信部３２に直接向けるようにして近づけられた場合、または、鍵４３が鍵穴５６に挿入された場合等に、鍵４３から送信されたＩＤ信号がドア側ＩＤ信号受信部３２で受信される。ドア側ＩＤ信号受信部３２またはＩＤコントローラ３４の側に電源を設けており、ドア側ＩＤ信号受信部３２側から電波等による無線信号を送信されることにより、鍵４３側に電力が供給されるようにしている。
【００２８】
ステップＳ１で、ドア側ＩＤ信号受信部３２でＩＤ信号を受信したと判定された場合には、ステップＳ２で、ＩＤ照合手段６４は、鍵４３から送信されるＩＤ信号が表す部屋ＩＤと、予めＩＤ記憶手段６６で記憶した登録部屋ＩＤとが照合されたか否かを判定する。そして、照合されていないと判定された場合には、ステップＳ３に移行し、鍵４３を所持している、または、鍵穴５６に鍵４３を挿入しているのは居住者ではないと判断し、ステップＳ４で警報ブザー制御手段６８により制御信号を警報ブザー３８に出力し、警報ブザー３８を作動させる。また、これとともに、各階ドア信号統合制御部７６を介して監視盤７８に異常が発生したことを表す信号を送信し、監視盤７８周辺部にいる人に異常が発生したことと、異常が発生した部屋番号等、部屋の特定情報をディスプレー等の表示部で知らせる。
【００２９】
なお、この場合、ＩＤコントローラ３４は、監視盤７８を介してマンション外部の警備部である、警備会社またはマンションの管理会社の警備部門等に、警報ブザー３８が警報を発したことと、異常が発生したドア３０に対応する部屋の特定情報とを表す信号を、インターネット回線等を通じて送信するようにすることもできる。
【００３０】
また、図５のステップＳ２において、ＩＤ照合手段６４により、鍵４３から送信されるＩＤ信号が表す部屋ＩＤと、ＩＤ記憶手段６６で記憶した登録部屋ＩＤとが一致したと判定された場合には、ステップＳ６に移行し、鍵４３を所持している、または、鍵穴５６に鍵４３を挿入しているのは居住者であると判断する。そして、ステップＳ７で、警報ブザー３８を非作動のままとし、警報が発せられないようにしつつ、鍵４３によるシリンダ錠３６の解錠を可能とする。
【００３１】
このような本実施の形態の鍵判定システムによれば、マンションに設けた場合に、鍵４３の持ち主が鍵４３を紛失し、第三者に鍵４３を拾得されてしまった場合でも、第三者が鍵４３に対応するドア３０とは異なるドア３０に設けられた鍵穴５６に鍵４３の差込部５０を挿入した場合等、鍵４３と対応しないドア側ＩＤ信号受信部３２に鍵４３を近づけた場合に、鍵４３のＩＤ信号送信部４６が送信したＩＤ信号を、ドア側ＩＤ信号受信部３２で受信しても、受信したＩＤ信号が表す部屋ＩＤと、予め記憶した登録部屋ＩＤとが一致しないため、警報ブザー３８により警報が発せられる。このため、周辺にいる人に異常を知らせることができる。また、第三者が、拾得した鍵４３と対応するドア３０を、多くのドア３０のうちから間違えることなく１回で見つけることができる可能性は低い。このため、鍵４３の持ち主が鍵４３を紛失し、第三者に鍵４３を拾得されてしまった場合でも、第三者が不正に他人の部屋のドア３０を開けようとした場合に、警報が発せられやすくなるため、警報部を備えない単なる電気錠システム付のマンションの場合よりも、マンションの各部屋の防犯性を高くできる。また、本実施の形態によれば、シリンダ錠３６等の鍵挿入部として、従来と同様のものを使用でき、また、ドア３０に電気錠を設ける必要もない。
【００３２】
また、停電発生時に停電を表す信号をＩＤコントローラ３４に入力することにより、警報ブザー３８が常に非作動になるようにすれば、停電発生時に、ドア側ＩＤ信号受信部３２が鍵４３からのＩＤ信号を正常に受信できなくなった場合でも、鍵穴５６に正規の鍵４３の差込部５０を挿入した場合に、警報ブザー３８により警報が発せられることがなく、鍵４３によるドア３０の開放が可能となる。このため、各部屋のドアを電気錠システムで解錠可能とするマンションの場合と異なり、停電発生時に鍵４３の正規の持ち主が部屋に入れなくなることを防止できる。
【００３３】
また、ＩＤコントローラ３４は、警報ブザー３８により警報を発するようにする場合に、管理人室１０または警備部に警報ブザー３８が警報を発したことと、異常が発生したドア３０に対応する部屋の特定情報とを表す信号を送信するので、異常発生時に警報ブザー３８で警報が発せられるだけでなく、管理人室１０または警備部にいる人に異常を知らせることができるため、防犯性をより高くできる。
【００３４】
［第２の発明の実施の形態］
図６は、本発明の第２の実施の形態において、鍵判定システムにより鍵の不正使用時に警報を発するようにする方法を示すフローチャートである。本実施の形態では、上記の第１の実施の形態において、図４にカッコ内と、破線矢印とで示すように、鍵挿入部である、シリンダ錠３６（図２参照）に、鍵穴挿入センサ７２を設けている。鍵穴挿入センサ７２は、鍵穴５６（図２参照）に鍵４３の差込部５０が挿入された場合にこれを検知し、その検知信号をＩＤコントローラ３４に出力可能としている。鍵穴挿入センサ７２の検出部は、例えばシリンダ錠３６の内筒に設ける。例えば、鍵穴挿入センサ７２は、鍵穴５６への差込部５０の挿入により、マイクロスイッチ等が押されてこれを知らせる信号を挿入検知信号として出力するものとする。また、ＩＤコントローラ３４が備える警報ブザー制御手段６８は、鍵穴５６に鍵４３の差込部５０が挿入されたと判定された場合において、ドア側ＩＤ信号受信部３２が鍵４３からのＩＤ信号を受信していないと判定された異常発生時に、警報ブザー３８により警報を発するようにする機能も有する。
【００３５】
このような本実施の形態は、図６に示すようにして鍵判定システムにより鍵４３の不正使用時に警報を発するようにする。なお、この図６を用いた説明では、上記の図１から図４で各要素に付した符号を用いて説明する。まず、図６のステップＳ１で、ＩＤコントローラ３４は、鍵穴挿入センサ７２からの検出信号の入力の有無により、鍵穴５６に鍵４３の差込部５０が挿入されているか否かを判定する。そして、鍵穴５６に差込部５０が挿入されていると判定された場合には、ステップＳ２に移行する。
【００３６】
ステップＳ２では、ＩＤ照合手段６４は、鍵穴５６に鍵４３を挿入している状態で、ドア側ＩＤ信号受信部３２が鍵４３から送信されるＩＤ信号を受信しているか否か、すなわち、鍵４３から送信されるＩＤ信号が表す部屋ＩＤと、予めＩＤ記憶手段６６で記憶した登録部屋ＩＤとが照合されたか否かを判定する。そして、照合されていないと判定された場合には、ステップＳ３に移行し、鍵穴５６に鍵４３を挿入しているのは居住者ではない、すなわち、挿入されている鍵４３が、正規の形状であるが、正規のＩＤ信号送信部４６を備えていない鍵４３であると判断し、ステップＳ４で警報ブザー制御手段６８により制御信号を警報ブザー３８に出力し、警報ブザー３８を作動させる。また、これとともに、各階ドア信号統合制御部７６を介して監視盤７８に異常が発生したことを表す信号を送信し、監視盤７８周辺部にいる人に異常が発生したことと、異常が発生した部屋番号等、部屋の特定情報をディスプレー等の表示部で知らせる。
【００３７】
また、ＩＤコントローラ３４は、監視盤７８を介してマンション外部の警備部である、警備会社またはマンションの管理会社の警備部門等に、警報ブザー３８が警報を発したことと、異常が発生したドア３０に対応する部屋の特定情報とを表す信号を、インターネット回線等を通じて送信するようにすることもできる。
【００３８】
また、図６のステップＳ２において、ＩＤ照合手段６４により、鍵穴５６に鍵の差込部５０を挿入している状態で、鍵４３から送信されるＩＤ信号が表す部屋ＩＤと、ＩＤ記憶手段６６で記憶した登録部屋ＩＤとが照合されたと判定された場合には、ステップＳ６に移行する。ステップＳ６では、ＩＤ照合手段６４が、鍵４３から送信されたＩＤ信号が表す部屋ＩＤと予めＩＤ記憶手段６６で記憶した登録部屋ＩＤとが一致したか否かを判定する。一致していないと判定された場合には、上記のステップＳ３からＳ５に移行し、上記と同様に、警報ブザー３８を作動させるとともに監視盤７８に異常が発生したことを表す信号を送信する。
【００３９】
これに対して、ステップＳ６で、鍵４３から送信されたＩＤ信号が表す部屋ＩＤと登録部屋ＩＤとが一致したと判定された場合には、ステップＳ７に移行して、鍵穴５６に鍵４３を挿入しているのは居住者であると判断する。そして、ステップＳ８で、警報ブザー３８を非作動のままとし、警報が発せられないようにしつつ、鍵４３によるシリンダ錠３６の解錠を可能とする。
【００４０】
次いで、ステップＳ９で、鍵穴挿入センサ７２からの検出信号により、鍵穴５６から鍵４３の差込部５０が抜かれたと判定された場合には、ステップＳ１０において、ドア側ＩＤ信号受信部３２でＩＤ信号を受信したことを表すデータ、すなわち受信ＩＤ信号データをリセットする。これにより、ドア側ＩＤ信号受信部３２は、鍵４３のＩＤ信号送信部４６からＩＤ信号が送信されるのを待つ、入力待ち状態となり、ステップＳ１に戻る。
【００４１】
このような本実施の形態によれば、ＩＤコントローラ３４は、鍵穴５６に鍵４３の差込部５０が挿入されていることが検出された場合において、ドア側ＩＤ信号受信部３２がＩＤ信号を受信していないと判定された異常発生時に、警報ブザー３８により警報を発するようにする。このため、ＩＤ信号送信部がない複製の鍵を持つ第三者の部屋への侵入を有効に防止でき、防犯性をより有効に高くできる。その他の構成および作用については、上記の第１の実施の形態と同様であるため、重複する説明および図示を省略する。なお、鍵穴挿入センサ７２の代わりに、シリンダ錠３６の内筒が回された場合に、これを検知する内筒回転検知センサを設けて、図６のステップＳ１で内筒の回転を検知した場合にステップＳ２に移行し、ステップＳ２で内筒が回転された状態で鍵４３からのＩＤ信号をドア側ＩＤ信号受信部３２で受信されたか否かを判定することもできる。このようにすれば、本実施の形態で得られる効果に加えて、ピッキング等で無理にシリンダ錠３６を解錠しようとする第三者の部屋への侵入も有効に防止できる。内筒回転検知センサは、例えば内筒の外周面の円周方向一部に突部を設けて、内筒が回転した場合に突部によりマイクロスイッチが押されるようにし、押された場合に内筒回転検知信号として出力する構成とすることができる。
【００４２】
［第３の発明の実施の形態］
図７は、本発明の第３の実施の形態を示している。図７は、鍵判定システムの一部の構成を示すブロック図である。本実施の形態では、鍵判定システムは、共同玄関１２（図１参照）に設けられ、鍵４３に設けたＩＤ信号送信部４６から送信されたＩＤ信号を受信可能なエレベータ制御用信号受信部である、ロビー側ＩＤ信号受信部８８と、エレベータ制御部９０とを備える。また、ロビー側ＩＤ信号受信部８８は、共同玄関１２のドア１６周辺部に設けた端末機１４に設けて、鍵４３からのＩＤ信号を受信可能としている。
【００４３】
エレベータ制御部９０は、エレベータ群管理装置９２と、複数（図示の場合は２個）のエレベータ制御装置９４とを備える。エレベータ制御装置９４は、エレベータ１８（図１参照）と同数設けている。すなわち、図示の例の場合は、２個の乗りかご２２を２個の乗りかご昇降機構によりそれぞれ昇降可能としている。それぞれの乗りかご昇降機構は、巻き上げ機２６（図１参照）、または油圧ジャッキ等の駆動部を備える。それぞれのエレベータ制御装置９４は、この駆動部を制御する。また、エレベータ群管理装置９２は、複数のエレベータ制御装置９４を統合的に制御するもので、例えば、いずれかの階のエレベータ乗場で操作ボタン等の操作部が操作された場合にその時点で使用されていない乗りかご２２（図１参照）のうち、最も近い位置にある乗りかご２２を操作部が操作された階床まで移動させる機能を有する。
【００４４】
また共同玄関１２の端末機１４に、第２ＩＤコントローラ９６を設けている。第２ＩＤコントローラ９６は、ＩＤ照合手段９８とＩＤ記憶手段１００とを有する。共同玄関１２のドア１６（図１）に電気錠を設けている。ＩＤ照合手段９８により、ロビー側ＩＤ信号受信部８８で受信されたＩＤ信号が表す部屋ＩＤと、ＩＤ記憶手段１００で予め記憶した登録部屋ＩＤとが一致したと判定された正常の場合のみ、共同玄関１２の電気錠解錠用信号が出力されて、電気錠を解錠してドア１６が自動で開放されるようにする。また、この場合には、ＩＤ照合手段９８は、エレベータ群管理装置９２に正常の場合であることと、部屋ＩＤが表す部屋のある階床情報とを表す信号を出力する。エレベータ群管理装置９２は、複数のエレベータ制御装置９４のうちから最適なエレベータ制御装置９４を選択して、選択されたエレベータ制御装置９４は、乗りかご２２を共同玄関１２のある階床まで移動させるようにエレベータ１８を作動させ、その後、人が乗りかご２２に乗ったことを条件に、ロビー側ＩＤ信号受信部８８で受信したＩＤ信号が表す部屋ＩＤに対応する階床に乗りかご２２を移動させ、自動停止させる。なお、第２ＩＤコントローラ９６は、管理人室１０等、共同玄関１２の端末機１４以外の部分に設けることもできる。また、本実施の形態の場合も、上記の図１に示した第１の実施の形態と同様に、ドア３０に設けられたドア側ＩＤ信号受信部３２と、ＩＤコントローラ３４とを備える。
【００４５】
このような本実施の形態によれば、共同玄関１２に設けられ、鍵４３のＩＤ信号送信部４６から送信されたＩＤ信号を受信可能なロビー側ＩＤ信号受信部８８と、ロビー側ＩＤ信号受信部８８で受信されたＩＤ信号が表す部屋ＩＤと登録部屋ＩＤとが一致した正常の場合に、エレベータ１８を作動させて、部屋ＩＤに対応する階床に乗りかご２２を移動させ、自動停止させるエレベータ制御部９０とを備える。このため、鍵４３を拾得した第三者が共同玄関１２で鍵４３をロビー側ＩＤ信号受信部８８に近づけ、ロビー側ＩＤ信号受信部８８にＩＤ信号を送信し、部屋ＩＤを照合すれば、エレベータ１８の乗りかご２２に乗っただけで、鍵４３の正規の持ち主の部屋がある階床に自動で移動できてしまい、鍵４３の持ち主の部屋が特定されやすくなってしまう。このため、ドア３０（図１参照）に設けられたドア側ＩＤ信号受信部３２（図１参照）と、ＩＤコントローラ３４（図１参照）とを備える本実施の形態の構成により、鍵４３の持ち主が鍵４３を紛失し、第三者に鍵４３を拾得されてしまった場合でも、警報部を備えない単なる電気錠システム付のマンションの場合よりもマンションの各部屋の防犯性を高くできるという本実施の形態により得られる効果がより顕著になる。その他の構成および作用については、上記の図１から図５に示した第１の実施の形態と同様であるため、同等部分には同一符号を付して重複する説明および図示を省略する。
【００４６】
なお、本実施の形態において、エレベータ制御装置９４およびエレベータ群管理装置９２の一方または両方は、マンションの最上階の機械室等に設けることも、マンションの最上階以外に設けることもできる。また、エレベータ制御用信号受信部は、共同玄関１２（図１参照）に設ける場合に限定するものではなく、例えば、エレベータ乗場または乗りかご２２内に設けることもできる。この場合には、エレベータ制御用信号受信部に鍵４３を近づけＩＤ信号を送信することで、ＩＤ信号に対応する階床に乗りかご２２を自動で移動させ、自動停止させることができる。
【００４７】
また、上記の各実施の形態において、ＩＤコントローラ３４は、各階に１個ずつ設けて、それぞれの階のすべてのドア３０のドア側ＩＤ信号受信部３２と、鍵穴挿入センサ７２とからの信号がＩＤコントローラ３４に入力されるようにし、ＩＤコントローラ３４から、対応する部屋のドア３０の警報ブザー３８に制御信号を出力するようにすることもできる。また、警報ブザー３８を各階に１個ずつ設けて、それぞれの階のすべての部屋のうち、いずれか１以上の部屋のドア３０に設けたＩＤコントローラ３４から各階ドア信号統合制御部７６に異常が発生したことを表す信号が入力された場合に警報ブザー３８を作動させて、警報を発するようにすることもできる。
【図面の簡単な説明】
【００４８】
【図１】第１の発明の実施の形態において、各部屋のドアに対応して鍵判定システムを備えるマンションの全体構成を示す略図である。
【図２】同じく部屋入口のドアとＩＤコントローラおよび警報ブザーの構成とを示す略図である。
【図３】同じく鍵を示す略図である。
【図４】同じく鍵判定システムの一部の構成を示すブロック図である。
【図５】同じく鍵判定システムにより鍵の不正使用時に警報を発するようにする方法を示すフローチャートである。
【図６】第２の発明の実施の形態において、鍵判定システムにより鍵の不正使用時に警報を発するようにする方法を示すフローチャートである。
【図７】第３の発明の実施の形態において、鍵判定システムの一部の構成を示すブロック図である。
【符号の説明】
【００４９】
１０  管理人室、１２  共同玄関、１４  端末機、１６  ドア、１８  エレベータ、２０  昇降路、２２  乗りかご、２４  主ロープ、２６  巻き上げ機、２８  エレベータ制御装置、３０  ドア、３２  ドア側ＩＤ信号受信部、３４  ＩＤコントローラ、３６，３６ａ  シリンダ錠、３８  警報ブザー、４０  デッドボルト、４２  ラッチボルト、４３  鍵、４４  レバーハンドル、４５  側面、４６  ＩＤ信号送信部、４８  記憶手段、５０  差込部、５６  鍵穴、６４  ＩＤ照合手段、６６  ＩＤ記憶手段、６８  警報ブザー制御手段、７２  鍵穴挿入センサ、７６  各階ドア信号統合制御部、７８  監視盤、８８  ロビー側ＩＤ信号受信部、９０  エレベータ制御部、９２  エレベータ群管理装置、９４  エレベータ制御装置、９６  第２ＩＤコントローラ、９８  ＩＤ照合手段、１００  ＩＤ記憶手段。
【図１】
0004929077.tif 000002
【図２】
0004929077.tif 000003
【図３】
0004929077.tif 000004
【図４】
0004929077.tif 000005
【図５】
0004929077.tif 000006
【図６】
0004929077.tif 000007
【図７】
0004929077.tif 000008